(57)【要約】【課題】電子ペーパのタブレットに対する位置的自由度を改善した電子ペーパシステム。【解決手段】電子ペーパ１１Ａに対する電子ペンでのタッチ操作の位置Ｐが電子下敷１２Ａのタブレット１４により検出されると、当該タブレット１４により検出される前記電子ペーパ１１Ａのキャリブレーションポインタ２６ａ〜２６ｄの少なくとも２つの座標位置とその基準の位置（タブレット１４上の四隅）とのずれ量θに応じて、前記タブレット１４により検出されたタッチ操作位置Ｐの絶対座標（Ｘｔｐ，Ｙｔｐ）を前記電子ペーパ１１Ａ上での相対座標（Ｘｐ，Ｙｐ）に変換するための座標変換式に基づき、同電子ペーパ１１Ａ上でのタッチ操作位置Ｐの座標（Ｘｐ，Ｙｐ）を取得する。前記電子ペーパ１１Ａに対するタッチ操作位置Ｐの座標（Ｘｐ，Ｙｐ）に対応して手書き入力に伴う軌跡が表示されたり、同電子ペーパ１１Ａに表示された表示データが選択されたりする。【選択図】      図８Ｂ
2015118606.tif 000002
【特許請求の範囲】
【請求項１】
電子ペンによる操作位置を非接触で検出するタブレットを有した電子装置と、この電子装置との非接触の通信により表示データを表示する画面を有した電子ペーパと、からなる電子ペーパシステムであって、
前記電子ペーパは、
予め設定された複数の位置に設けられ前記タブレットにその位置が検出される位置指示部を備え、
前記電子装置は、
前記電子ペンによる操作位置が前記タブレットに検出された際に、当該検出された操作位置の同タブレット上での座標を、同タブレットに検出される前記電子ペーパの少なくとも２つの位置指示部の位置の基準の位置からのずれ量に応じた座標変換式に従い、前記電子ペーパの画面上の相対座標に変換する座標変換手段と、
この座標変換手段により変換された前記電子ペーパの画面上の相対座標の位置に応じた処理を実行する処理実行手段とを備えた、
ことを特徴とする電子ペーパシステム。
【請求項２】
前記座標変換手段は、
前記電子ペンによる操作位置が前記タブレットに検出された際に、前記電子ペーパの画面サイズと前記タブレットの領域サイズとを比較するサイズ比較手段を有し、
前記タブレットに検出された操作位置の同タブレット上での座標を、同タブレットに検出される前記電子ペーパの少なくとも２つの位置指示部の位置間の基準の位置からの傾きに応じた座標変換式と前記サイズ比較手段による比較結果に従い、前記電子ペーパの画面上の相対座標に変換する、
ことを特徴とする請求項１に記載の電子ペーパシステム。
【請求項３】
前記電子ペーパの画面サイズは、前記タブレットの領域サイズと同等であることを特徴とする請求項１に記載の電子ペーパシステム。
【請求項４】
前記電子ペーパの画面サイズは、前記タブレットの領域サイズと同等又は小さいことを特徴とする請求項２に記載の電子ペーパシステム。
【請求項５】
前記電子ペーパの画面サイズが前記タブレットの領域サイズよりも大きい場合であって、
前記電子ペーパの位置指示部は、
当該電子ペーパの画面全体に渡る複数の位置にそれぞれ前記タブレットの長辺以下の間隔で且つ固有の配列によってその位置が特定可能に設けられ、
前記電子ペーパは、その画面サイズと前記位置指示部の座標を含む配列情報を記憶する情報記憶手段を備え、
前記電子装置の座標変換手段は、
前記電子ペンによる操作位置が前記タブレットに検出された際に、前記電子ペーパの情報記憶手段に記憶された当該電子ペーパの画面サイズと前記位置指示部の配列情報を読み出す情報読み出し手段を有し、
前記電子ペーパの画面サイズが前記タブレットの領域サイズよりも大きい場合は、前記情報読み出し手段により読み出された前記電子ペーパの画面サイズと前記位置指示部の配列情報に基づいて、前記タブレットの領域に対応するところの前記電子ペーパの画面領域を認識し、前記タブレットに検出された操作位置の同タブレット上での座標を、前記電子ペーパの画面上の相対座標に変換する、
ことを特徴とする請求項１ないし請求項４の何れか１項に記載の電子ペーパシステム。
【請求項６】
前記請求項１に記載の電子ペーパシステムにおける電子装置。
【請求項７】
前記請求項１に記載の電子ペーパシステムにおける電子装置のコンピュータを制御するためのプログラムであって、
前記コンピュータを、
前記電子ペンによる操作位置が前記タブレットに検出された際に、当該検出された操作位置の同タブレット上での座標を、同タブレットに検出される前記電子ペーパの少なくとも２つの位置指示部の位置の基準の位置からのずれ量に応じた座標変換式に従い、前記電子ペーパの画面上の相対座標に変換する座標変換手段、
この座標変換手段により変換された前記電子ペーパの画面上の相対座標の位置に応じた処理を実行する処理実行手段、
として機能させるためのコンピュータ読み込み可能なプログラム。
【発明の詳細な説明】
【技術分野】
【０００１】
本発明は、紙状の不揮発性表示装置を用いた電子ペーパによって所望の情報を処理するための電子ペーパシステム、電子ペーパシステムの電子装置、電子装置の制御プログラムに関する。
【背景技術】
【０００２】
近年、電子ペーパと称される紙状の不揮発性表示装置が開発されている。この電子ペーパは、無電源状態で画像を表示保持する表示面を有し、紙には及ばずながらも薄く、柔軟性のあるもので、電源を供給することで画像の書き込み／消去が可能になり、テキストや画像など、様々なコンテンツを表示保持させることができる。
【０００３】
出願人は、前記電子ペーパを下敷に載せて手書き記入することで電子ペーパ上に手書き内容を表示できるようにした電子ペーパ記録装置の特許出願を行った（例えば、特許文献１参照。）。
【０００４】
この電子ペーパ記録装置では、下敷とペーパとの組合せをシンクライアントとしたサーバクライアントシステムにおいて、サーバには、当該下敷とペーパとの組合せに対応した画面データが生成されて記憶されており（仮想ペーパクライアント）、下敷にペーパを載せることでその組合せに対応する画面データを読み出して表示できる。そして、電子ペーパの画面データ上で手書き記入を行った場合には、当該手書き記入した位置を下敷のタブレットにより検出しその手書き軌跡を電子ペーパの画面データ上に追記して表示できる。
【先行技術文献】
【特許文献】
【０００５】
【特許文献１】特開２００７−３２３３６５号公報
【発明の概要】
【発明が解決しようとする課題】
【０００６】
前記従来の電子ペーパ記録装置では、電子ペーパに対して画面データを表示すること、ならびに電子ペーパの画面データ上で手書き記入した位置を下敷のタブレットにより検出して手書き軌跡を表示することができる。このため、電子ペーパの画面データ上でのユーザのタッチ（操作）位置を下敷のタブレットにより検出してその操作の内容を判断することもできる。
【０００７】
従って、前記電子ペーパに対するユーザの操作位置を下敷のタブレットにより検出した際には、当該タブレットにより検出した位置から電子ペーパ上でのユーザの実際のタッチ位置を正確に検出する必要がある。
【０００８】
例えば、前記電子ペーパの画面領域と下敷のタブレット領域とが１対１に対応し、且つずれなく重ねられた状態では、タブレットでの検出位置をそのまま電子ペーパのタッチ位置として正確に検出できる。しかしながら、前記電子ペーパの下敷に対する載置位置がその基準の位置からずれてしまった場合、タブレットでの検出位置をそのまま電子ペーパ上でのユーザの実際のタッチ位置として検出することはできない。
【０００９】
このため、前記下敷（タブレット）に対する電子ペーパの位置的な自由度や大きさの自由度が大幅に制限されてしまう。
【００１０】
本発明は、このような課題に鑑みなされたもので、電子ペーパのタブレットに対する位置的自由度を改善することが可能になる電子ペーパシステム、電子ペーパシステムの電子装置、電子装置の制御プログラムを提供することを目的とする。
【課題を解決するための手段】
【００１１】
本発明に係る電子ペーパシステムは、電子ペンによる操作位置を非接触で検出するタブレットを有した電子装置と、この電子装置との非接触の通信により表示データを表示する画面を有した電子ペーパと、からなる電子ペーパシステムであって、前記電子ペーパは、予め設定された複数の位置に設けられ前記タブレットにその位置が検出される位置指示部を備え、前記電子装置は、前記電子ペンによる操作位置が前記タブレットに検出された際に、当該検出された操作位置の同タブレット上での座標を、同タブレットに検出される前記電子ペーパの少なくとも２つの位置指示部の位置の基準の位置からのずれ量に応じた座標変換式に従い、前記電子ペーパの画面上の相対座標に変換する座標変換手段と、この座標変換手段により変換された前記電子ペーパの画面上の相対座標の位置に応じた処理を実行する処理実行手段とを備えた、ことを特徴としている。
【発明の効果】
【００１２】
本発明によれば、電子ペーパのタブレットに対する位置的自由度を改善することが可能になる。
【図面の簡単な説明】
【００１３】
【図１】本発明の実施形態に係る電子ペーパシステム（片面タイプ）１０Ａの構成を示す図であり、同図（Ａ）は外観構成を示す斜視図、同図（Ｂ）は１枚の電子ペーパ（片面タイプ）１１Ａを抜き出して示す正面図。
【図２】本発明の実施形態に係る電子ペーパシステム（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図。
【図３】前記電子ペーパシステム１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図。
【図４】前記電子ペーパシステム１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図。
【図５】前記電子ペーパシステム１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図。
【図６】前記電子ペーパシステム１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図。
【図７】前記電子ペーパシステム１０Ａ，１０Ｂの電磁誘導部において電子ペーパ（片面タイプ）１１Ａ…の綴じ込み部１８にペーパ内コア４０…を設けた場合と設けない場合とで磁束ループＢの形成状態を対比して示す図。
【図８Ａ】前記電子ペーパシステム１０Ａ，１０Ｂにおける電子ペーパ１１Ａ（１１Ｂ）のキャリブレーションポインタ２６ａ〜２６ｄと電子下敷１２Ａ（１２Ｂ）のタブレット１４との位置関係を示す図。
【図８Ｂ】前記電子ペーパ１１Ａ（１１Ｂ）のキャリブレーションポインタ２６ａ〜２６ｄに基づきタブレット１４により検出される座標位置を電子ペーパ上の座標位置に補正する座標変換を説明するための図。
【図９】前記電子ペーパシステム（両面タイプ）１０Ｂの電子下敷（両面タイプ）１２Ｂに対して異なるサイズを含む複数枚の電子ペーパ（両面タイプ）１１Ｂ（Ａ〜Ｅ）を綴じ込んだ場合の有効な電子ペーパの判別機能を説明する図であり、同図（Ａ）は複数枚の電子ペーパ（両面タイプ）１１Ｂ（Ａ〜Ｅ）の電子下敷（両面タイプ）１２Ｂに対する閉じ開き状態を示す図、同図（Ｂ）は有効電子ペーパの判別テーブルを示す図。
【図１０】前記電子ペーパシステム１０Ａ，１０ＢをネットワークＮ上のクラウドコンピューティングシステムの端末として組み込んだ場合の電子回路の構成を示すブロック図。
【図１１】前記電子ペーパシステム１０Ａ，１０Ｂの電子下敷１２Ｂ（１２Ａ）の情報記憶装置３０にて記憶管理される電子ペーパ管理テーブル（下敷）５４の内容を示す図。
【図１２】前記電子ペーパシステム１０Ｂを端末としネットワーク（インターネット）Ｎ上の電子ペーパ管理サーバ５３にウェブアクセスベースで接続して使用する場合の構成例を示すブロック図。
【図１３】前記電子ペーパ管理サーバ５３の電子ペーパ管理部５８ｂにて記憶管理される電子ペーパ管理テーブル（サーバ）６２の内容を示す図。
【図１４】前記電子ペーパシステム１０Ａ，１０Ｂを端末として組み込んだクラウドコンピューティングシステムにおける電子下敷１２Ａ，１２Ｂでの処理（その１）を示すフローチャート。
【図１５】前記電子ペーパシステム１０Ａ，１０Ｂを端末として組み込んだクラウドコンピューティングシステムにおける電子下敷１２Ａ，１２Ｂでの処理（その２）を示すフローチャート。
【図１６】前記電子ペーパシステム１０Ａ，１０Ｂを端末として組み込んだクラウドコンピューティングシステムにおける電子ペーパ管理サーバ５３での処理を示すフローチャート。
【図１７】前記電子ペーパシステム１０Ａ（１０Ｂ）の他の実施形態（１）に係る電子下敷機能付きデスクマット１２Ｍの利用形態を示す図。
【図１８】前記電子ペーパシステム１０Ａ（１０Ｂ）の他の実施形態（１）に係る電子下敷機能付きデスク１２Ｄの利用形態を示す図。
【図１９】前記電子ペーパシステム１０Ａ（１０Ｂ）の他の実施形態（２）に係る電子ペーパ１１Ａのキャリブレーションポインタ２６ａ〜２６ｉの配列構成を示す図。
【発明を実施するための形態】
【００１４】
以下図面により本発明の実施の形態について説明する。
【００１５】
図１は、本発明の実施形態に係る電子ペーパシステム（片面タイプ）１０Ａの構成を示す図であり、同図（Ａ）は外観構成を示す斜視図、同図（Ｂ）は１枚の電子ペーパ（片面タイプ）１１Ａを抜き出して示す正面図である。
【００１６】
この電子ペーパシステム（片面タイプ）１０Ａは、その表面に不揮発性表示装置１７を有する複数枚の電子ペーパ（片面タイプ）１１Ａ…と、この複数枚の電子ペーパ１１Ａ…を重ねて載置する電子下敷（片面タイプ）１２Ａとを備え、各電子ペーパ１１Ａ…は電子下敷１２Ａの左側中央に設けられた片面バインダ部１３にその左辺中央を挟み込ませて綴じられる。
【００１７】
電子下敷１２Ａは、その表面における電子ペーパ１１Ａ…の載置面に対応させて例えば電磁誘導方式によるタブレット１４を備え、このタブレット１４によって電子ペン１５による最上部の電子ペーパ１１Ａ上での手書き位置に対応する座標位置を検出する。そして、バインダ部１３を利用して設けられた後述の非接触型の電源供給手段及び通信手段（図３〜図６参照）を介して電子ペーパ１１Ａに内蔵された表示用の記憶装置に対し前記手書き位置の検出座標に対応した表示データを記憶させ、電子ペーパ１１Ａの不揮発性表示装置１７を表示動作させる。
【００１８】
電子ペーパ１１Ａの不揮発性表示装置１７は、例えば透明の電極板間に＋に帯電した黒色粒子と−に帯電した白色粒子とを交互にマトリクス状に仕切って封入し、一方の電極板を−（マイナス）に帯電させることで黒色表示となり、＋（プラス）に帯電させることで白色表示となるもので、当該電極板は電圧の印加によってその最後に印加した電圧の極性に帯電し、無電源状態での表示が保持される。
【００１９】
これにより、電子下敷１２Ａおよびそのバインダ部１３を介して外部から入力された表示データを電子ペーパ１１Ａにて表示できるだけでなく、前記電子ペン１５によって直接的に書き込んだ手書きデータをも表示させることができ、しかもその電子ペーパ１１Ａを、図１（Ｂ）に矢印ａで示すように、電子下敷１２Ａから取り外すことで、通常の紙と同じように取り扱うことができる。
【００２０】
また、電子下敷１２Ａのタブレット１４によって電子ペン１５による電子ペーパ１１Ａ上でのタッチ（操作）位置に対応する座標位置を検出するので、この際に電子ペーパ１１Ａに表示されている表示データの内容に応じた処理（項目の選択処理や決定処理）を実行できる。
【００２１】
図２は、本発明の実施形態に係る電子ペーパシステム（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図である。
【００２２】
この電子ペーパシステム（両面タイプ）１０Ｂで使用する複数枚の電子ペーパ（両面タイプ）１１Ｂ…は、その表面と裏面との両面にそれぞれ前述の不揮発性表示装置１７Ｒ，１７Ｌを有し、見開き型電子下敷１２Ｂの中央に設けられた見開きバインダ部１６によってそれぞれその一端部が貫通されて綴じられる。
【００２３】
見開き型電子下敷１２Ｂは、その左右の各見開き面における電子ペーパ１１Ｂ…の載置面にそれぞれ例えば電磁誘導方式によるタブレット１４Ｒ，１４Ｌを備え、このタブレット１４Ｒ，１４Ｌの各々によって電子ペン１５による右側最上部の電子ペーパ１１Ｂの表面上と左側最上部の電子ペーパ１１Ｂの裏面上での手書き位置に対応する座標位置を検出する。そして、見開きバインダ部１６に対応して設けられた後述の非接触型の電源供給手段及び通信手段（図３〜図６参照）を介して電子ペーパ１１Ｂに内蔵された表示用の記憶装置に対し前記表面と裏面の各手書き位置の検出座標に対応した表示データを記憶させ、電子ペーパ１１Ｂをその両面の不揮発性表示装置１７Ｒ，１７Ｌで表示動作させる。
【００２４】
これにより、電子下敷１２Ｂおよびその見開きバインダ部１６を介して外部から入力された表示データを電子ペーパ（両面タイプ）１１Ｂの表裏面にて表示できるだけでなく、前記電子ペン１５によって直接的に書き込んだ手書きデータをも同表裏面に表示させることができ、しかもその電子ペーパ１１Ｂを、図２（Ｂ）に矢印ｃで示すように、電子下敷１２Ｂから取り外すことで、通常の表と裏のある紙と同じように取り扱うことができる。
【００２５】
また、電子下敷１２Ｂのタブレット１４Ｒ，１４Ｌによって電子ペン１５による電子ペーパ１１Ｂ上でのタッチ（操作）位置に対応する座標位置を検出するので、この際に電子ペーパ１１Ｂに表示されている表示データの内容に応じた処理（項目の選択処理や決定処理等）を実行できる。
【００２６】
図３は、前記電子ペーパシステム１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図である。
【００２７】
なお、表側から見た電子ペーパ（片面タイプ）１１Ａの構成と電子ペーパ（両面タイプ）１１Ｂの構成とは同じである。
【００２８】
電子ペーパ１１Ａ，１１Ｂには、その中央の略全領域に渡って不揮発性表示装置（表）１７（１７Ｒ），（裏）１７Ｌが設けられ、また綴じ込み部１８には、フレキシブルＩＣチップからなる制御装置１９、個別の電子ペーパＩＤを記憶するＩＤ記憶部２０、表示データを記憶する（情報）記憶装置２１が表裏共用として内蔵される。
【００２９】
さらに、前記綴じ込み部１８の中央に設けられた一方のバインダ用貫通孔１６ａの周囲には非接触型の電磁誘導電源部２２が表裏共用として内蔵され、また、もう一方のバインダ用貫通孔１６ｂの周囲には非接触型の通信装置２３が表裏共用として内蔵される。
【００３０】
また、電子ペーパ１１Ａ，１１Ｂの表側上部と、電子ペーパ１１Ｂの裏側上部とには、それぞれキーやタッチパッドなどを使用した入力装置２４（２４Ｒ），２４Ｌが設けられ、当該ペーパ上部の前記綴じ込み部１８とは反対の端部には、光センサを使用した重なり検出センサ２５（２５Ｒ），２５Ｌが設けられる。
【００３１】
そして、前記電子ペーパ１１Ａ，１１Ｂにおける不揮発性表示装置（表）１７（１７Ｒ），（裏）１７Ｌの４角の位置には、当該電子ペーパ１１Ａ，１１Ｂの電子下敷タブレット１４（１４Ｒ），１４Ｌに対する載置位置の位置ずれ検出のためのキャリブレーションポインタ（図８参照）２６ａ〜２６ｄが表裏共用として内蔵される。
【００３２】
図４は、前記電子ペーパシステム１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図である。
【００３３】
なお、正面から見た電子下敷（片面タイプ）１２Ａの構成と見開き型電子下敷１２Ｂの右面を見た構成とは同じである。
【００３４】
電子下敷１２Ａ，１２Ｂには、その中央の略全領域に渡って例えば電磁誘導方式のタブレット１４（１４Ｒ），１４Ｌが設けられ、またペーパ綴じ込み部２７には、ＩＣチップからなる制御装置２８、個別の電子下敷ＩＤを記憶するＩＤ記憶部２９、電子ペーパ１１Ａ，１１Ｂに対する表示用データなどを記憶する（情報）記憶装置３０が内蔵される。
【００３５】
また、電子下敷１２Ａ，１２Ｂの右端部、同電子下敷１２Ｂの左端部には、それぞれキーやタッチパッドなどを使用した下敷用入力装置３１（３１Ｒ），３１Ｌが設けられ、さらに上端部にはＬＣＤモニタなど常時電源供給の必要な表示装置をコネクタ接続するための接触型表示Ｉ／Ｆ（インターフェイス）３２、外部の通信ネットワークやそのネットワーク上にあるサーバコンピュータなどとの接続を図るための外部接続装置３３が設けられる。
【００３６】
さらに、前記ペーパ綴じ込み部２７のバインダ位置に対応させた中央部分には、電磁誘導電源供給部３５（３５Ｒ），３５Ｌが内蔵され、この電磁誘導電源供給部３５（３５Ｒ），３５Ｌから電磁誘導によって前記電子ペーパ１１Ａ，１１Ｂへの非接触電源供給を行うための電源供給用コア３４（３４Ｒ），３４Ｌが設けられる。
【００３７】
また、同ペーパ綴じ込み部２７のバインダ位置に対応させた中央部分には、通信装置３７（３７Ｒ），３７Ｌが内蔵され、この通信装置３７（３７Ｒ），３７Ｌから電磁誘導によって前記電子ペーパ１１Ａ，１１Ｂへの非接触通信を行うための通信用コア３６（３６Ｒ），３６Ｌが設けられる。
【００３８】
そしてこの電子下敷１２Ａ，１２Ｂには、例えば充電式のバッテリ３８が内蔵され、このバッテリ３８によって前記タブレット１４（１４Ｒ），１４Ｌ、制御装置２８、ＩＤ記憶部２９、記憶装置３０、下敷用入力装置３１（３１Ｒ），３１Ｌ、接触型表示Ｉ／Ｆ３２を介して接続される外部の表示装置（図１０参照）にそれぞれ電力が供給されると共に、前記電磁誘導電源供給部３５（３５Ｒ），３５Ｌから電源供給用コア３４（３４Ｒ），３４Ｌを介して当該電子下敷１２Ａ，１２Ｂに載置される前記電子ペーパ１１Ａ，１１Ｂへと非接触で電力が供給される。
【００３９】
図５は、前記電子ペーパシステム１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図である。
【００４０】
この電磁誘導部（平面タイプ）は、バインダ用貫通孔１６ａ，１６ｂ（図３参照）を持たない電子ペーパ１１Ａ，１１Ｂの綴じ込み部１８の電磁誘導電源部２２と通信部２３に対して電磁誘導による電源供給と通信接続を行うもので、電子ペーパ（片面タイプ）１１Ａおよび（両面タイプ）１１Ｂの何れの場合でも、電子下敷１２Ａ，１２Ｂの電磁誘導電源供給部３５（３５Ｒ），３５Ｌや通信装置３７（３７Ｒ），３７Ｌに設けた下敷側コア３９の先端露出面に対応する位置にはペーパ内コア４０…が内蔵され、このペーパ内コア４０の周囲を囲むように信号取り出し用の平面コイル４１が内蔵される。
【００４１】
なお、図５（Ａ１）で示す電子下敷（片面タイプ）１２Ａの電磁誘導部の場合には、その電子ペーパ（片面タイプ）１１Ａを綴じ込むバインダ部１３の内部にも下敷側コア３９を延長させ、当該電子ペーパ（片面タイプ）１１Ａのペーパ内コア４０…と合わせて電磁力線の磁束ループが損失少なく形成されるようにする。同図５（Ａ１）において４２はバインダ部１３の綴じ込み力を有するヒンジである。
【００４２】
図７は、前記電子ペーパシステム１０Ａ，１０Ｂの電磁誘導部において電子ペーパ（片面タイプ）１１Ａ…の綴じ込み部１８にペーパ内コア４０…を設けた場合と設けない場合とで磁束ループＢの形成状態を対比して示す図である。
【００４３】
すなわち、図７（Ａ）に示すように、電子ペーパ（片面タイプ）１１Ａ…の綴じ込み部１８にペーパ内コア４０…を設けた場合には、図７（Ｂ）で示す設けない場合に較べて、下敷側コア３９との間で当該ペーパ内コア４０…を介し磁気抵抗が低くなり漏れ磁束少なく磁束ループＢがスムーズに通過形成されるので、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３から下敷側コア３９を経て、電子ペーパ１１Ａ，１１Ｂのペーパ内コア４０…からペーパ側平面コイル４１へと効率よく伝送され、その電磁誘導電源部２２へと電源供給され、通信部２３へと受信されるようになる。
【００４４】
図６は、前記電子ペーパシステム１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図である。
【００４５】
この電磁誘導部（凸面タイプ）は、バインダ用貫通孔１６ａ，１６ｂ（図３参照）を有する電子ペーパ１１Ａ，１１Ｂの綴じ込み部１８の電磁誘導電源部２２と通信部２３に対して電磁誘導による電源供給と通信接続を行うもので、図６（Ａ１）に示すように、電子ペーパ（片面タイプ）１１Ａの場合には、電子下敷（片面タイプ）１２Ａの電磁誘導電源供給部３５や通信装置３７に対応して設けたバインダ兼用凸型コア３９ａを電子ペーパ（片面タイプ）１１Ａの綴じ込み部１８におけるバインダ用貫通孔１６ａ，１６ｂに挿通係止させ、当該電子ペーパ（片面タイプ）１１Ａの綴じ込みを行う。
【００４６】
また、図６（Ｂ）に示すように、電子ペーパ（両面タイプ）１１Ｂの場合には、電子下敷（両面タイプ）１２Ｂの電磁誘導電源供給部３５や通信装置３７に対応して設けたバインダ兼用凸型リング状コア３９ｂ（１６）を電子ペーパ（両面タイプ）１１Ｂの綴じ込み部１８におけるバインダ用貫通孔１６ａ，１６ｂに挿通係止させ、当該電子ペーパ（両面タイプ）１１Ｂの綴じ込みを行う。同図６（Ｂ）において４４は見開きバインダ部１６（３９ｂ）の綴じ込み力を有するヒンジである。
【００４７】
なお、図６で示すバインダ用貫通孔１６ａ，１６ｂを有する電子ペーパ１１Ａ，１１Ｂに対しての電子下敷１２Ａ，１２Ｂの電磁誘導部の場合には、一方の電子下敷（片面タイプ）１２Ａの場合、他方の電子下敷（両面タイプ）１２Ｂの場合の何れにあっても、バインダ兼用凸型コア３９ａあるいはバインダ兼用凸型リング状コア３９ｂによって電子ペーパ１１Ａ，１１Ｂのバインダ用貫通孔１６ａ，１６ｂを通過する環状コアが形成されるので、電磁力線の磁束ループがより損失なく形成される。
【００４８】
すなわち、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３からバインダ兼用凸型コア３９ａあるいはバインダ兼用凸型リング状コア３９ｂを経て、電子ペーパ１１Ａ，１１Ｂのペーパ側平面コイル４１へとより効率よく伝送され、その電磁誘導電源部２２へと電源供給され、通信部２３へと受信されるようになる。
【００４９】
図８Ａは、前記電子ペーパシステム１０Ａ，１０Ｂにおける電子ペーパ１１Ａ（１１Ｂ）のキャリブレーションポインタ２６ａ〜２６ｄと電子下敷１２Ａ（１２Ｂ）のタブレット１４との位置関係を示す図である。
【００５０】
電子下敷１２Ａ（１２Ｂ）のタブレット１４上に載置された電子ペーパ１１Ａ（１１Ｂ）上で電子ペン１５によって手書き作業を行うと、当該電子ペン１５による書き込み位置は、電子下敷１２Ａ（１２Ｂ）のタブレット１４によって座標検出される。
【００５１】
この際、電子ペーパ１１Ａ（１１Ｂ）のタブレット１４上での載置位置は、電磁誘導コイルによって構成されたキャリブレーションポインタ２６ａ〜２６ｄの各位置が同タブレット１４によって座標検出されることで、その基準の載置位置（ここではタブレット１４の四隅）からの座標の位置ずれが電子下敷１２Ａ（１２Ｂ）の制御装置２８によって計算検出される。
【００５２】
図８Ｂは、前記電子ペーパ１１Ａ（１１Ｂ）のキャリブレーションポインタ２６ａ〜２６ｄに基づきタブレット１４により検出される座標位置を電子ペーパ上の座標位置に補正する座標変換を説明するための図である。
【００５３】
電子ペーパ１１Ａ（１１Ｂ）には、前述した通り、四隅の基準位置にキャリブレーションポインタ２６ａ〜２６ｄが設けられ、当該電子ペーパ１１Ａ（１１Ｂ）のＩＤ記憶部２０には、同ペーパ固有のＩＤが記憶されると共に、同ペーパの画面（描画）サイズ、画素数、各キャリブレーションポインタ２６ａ〜２６ｄの座標等が記憶される。
【００５４】
ここで、前記座標変換の条件として、前記電子ペーパ１１Ａ（１１Ｂ）に設けられた複数のキャリブレーションポインタ２６ａ〜２６ｄのうち少なくとも２個のポインタがタブレット１４上にあることを条件とする。
【００５５】
電子ペーパ１１Ａ（１１Ｂ）のＩＤ記憶部２０に記憶されたキャリブレーションポインタ２６ｄ，２６ａの座標を（Ｘ１，Ｙ１），（Ｘ２，Ｙ２）とする。但し、計算簡単化のため当該キャリブレーションポインタ２６ｄ，２６ａは同一の座標軸上にあるものとしＹ１＝Ｙ２とする。
【００５６】
そして、前記電子ペーパ１１Ａ（１１Ｂ）のキャリブレーションポインタ２６ｄ，２６ａに対応してタブレット１４により検出された座標が（Ｘｔ１，Ｙｔ１），（Ｘｔ２，Ｙｔ２）、この座標間の傾き（タブレットに対する電子ペーパの傾き）がθであって、当該電子ペーパ１１Ａ（１１Ｂ）に対し電子ペン１５によりタッチ（操作）した点Ｐに対応してタブレット１４により検出された座標が（Ｘｔｐ，Ｙｔｐ）であったとする。すると、前記電子ペーパ１１Ａ（１１Ｂ）のタッチ（操作）点Ｐの座標（Ｘｐ，Ｙｐ）は、以下の座標変換式(1)(2)により求まる。
【００５７】
θ＝ｃｏｓ−１｛（Ｘｔ２−Ｘｔ１）／（Ｘ２−Ｘ１）｝
Ｘｐ＝（Ｘｔｐ−Ｘｔ１）ｃｏｓθ＋（Ｙｔｐ−Ｙｔ１）ｓｉｎθ＋Ｘ１  …(1)
Ｙｐ＝（Ｙｔｐ−Ｙｔ１）ｃｏｓθ−（Ｘｔｐ−Ｘｔ１）ｓｉｎθ＋Ｙ１  …(2)
これにより、電子ペーパ１１Ａ（１１Ｂ）上での電子ペン１５での書き込み作業（あるいはタッチ操作）に伴い電子下敷１２Ａ（１２Ｂ）のタブレット１４によって検出される座標位置（Ｘｔｐ，Ｙｔｐ）は、当該電子ペーパ１１Ａ（１１Ｂ）の基準の載置位置からの位置ずれ量に応じた前記座標変換式(1)(2)によって同電子ペーパ１１Ａ（１１Ｂ）上での座標位置（Ｘｐ，Ｙｐ）として補正される。
【００５８】
そして、この補正後の座標位置（Ｘｐ，Ｙｐ）に従って、前記電子ペーパ１１Ａ（１１Ｂ）のＩＤ情報（画面（描画）サイズ、画素数）に基づき書き込み軌跡の表示データが生成され、不揮発性表示装置１７での手書きデータの表示が行われたり、タッチ（操作）位置に対応した表示データの内容（ボタン、アイコン等）の選択が行われたりする。
【００５９】
図９は、前記電子ペーパシステム（両面タイプ）１０Ｂの電子下敷（両面タイプ）１２Ｂに対して異なるサイズを含む複数枚の電子ペーパ（両面タイプ）１１Ｂ（Ａ〜Ｅ）を綴じ込んだ場合の有効な電子ペーパの判別機能を説明する図であり、同図（Ａ）は複数枚の電子ペーパ（両面タイプ）１１Ｂ（Ａ〜Ｅ）の電子下敷（両面タイプ）１２Ｂに対する閉じ開き状態を示す図、同図（Ｂ）は有効電子ペーパの判別テーブルを示す図である。
【００６０】
例えば、電子下敷（両面タイプ）１２Ｂの左面のタブレット１４Ｌ上には１枚の電子ペーパ１１Ｂ（Ａ）が開かれ、また右面のタブレット１４Ｒ上には３枚の電子ペーパ１１Ｂが（Ｄ）→（Ｃ）→（Ｅ）の順に重ねられ、さらに電子ペーパ１１Ｂ（Ｂ）が当該電子下敷（両面タイプ）１２Ｂの中間付近に中立している状態では、左面のタブレット１４Ｌ上にある電子ペーパ１１Ｂ（Ａ）の裏面側重なり検出センサ２５Ｌに受光ａが検出され「重なり無し」と判別されると共に、キャリブレーションポインタ２６ａ〜２６ｄによってその座標位置がタブレット１４Ｌに検出されるので、当該電子ペーパ１１Ｂ（Ａ）は電子下敷（両面タイプ）１２Ｂの左面上で有効（アクティブ）と判別される。
【００６１】
また、中立している電子ペーパ１１Ｂ（Ｂ）の表裏面側重なり検出センサ２５Ｒ，２５Ｌに受光ｂが検出され「重なり無し」と判別される一方で、そのキャリブレーションポインタ２６ａ〜２６ｄからの電磁誘導信号は電子下敷１２Ｂにおける左右何れのタブレット１４Ｌ，１４Ｒにも検出されないので、当該電子ペーパ１１Ｂ（Ｂ）は無効（非アクティブ）と判別される。
【００６２】
また、右面のタブレット１４Ｒ上に重ねてある３枚の電子ペーパ１１Ｂ（Ｄ）（Ｃ）（Ｅ）については、何れの電子ペーパ１１Ｂ（Ｄ）（Ｃ）（Ｅ）もそのキャリブレーションポインタ２６ａ〜２６ｄによってタブレット１４Ｒに検出される一方で、電子ペーパ１１Ｂ（Ｃ）（Ｄ）の各表側重なり検出センサ２５Ｒにだけ受光ｃ，ｅが検出されて「重なり無し」と判別されるものの、そのうちペーパサイズが小さい方の電子ペーパ１１Ｂ（Ｅ）が優先され電子下敷（両面タイプ）１２Ｂの右面上で有効（アクティブ）と判別される。
【００６３】
従って、電子下敷１２Ｂの制御装置２８では、その電磁誘導部を介して非接触で通信接続されている各電子ペーパ１１Ｂ（Ａ〜Ｅ）それぞれのＩＤに対応付けて、その表裏の重なり検出センサ２５Ｒ，２５Ｌによる重なり有無検出、キャリブレーションポインタ２６ａ〜２６ｄによるアクティブ有無検出、各ペーパサイズなどを収集管理することで、左右それぞれのタブレット１４Ｌ，１４Ｒ上にある有効（アクティブ）な電子ペーパ１１Ｂを判別でき、当該左右のタブレット１４Ｌ，１４Ｒにて検出された電子ペン１５による手書きデータを、前記電磁誘導部を介してその有効（アクティブ）な電子ペーパ１１ＢのＩＤを有する不揮発性表示装置１７Ｒ，１７Ｌに表示させることができる。
【００６４】
図１０は、前記電子ペーパシステム１０Ａ，１０ＢをネットワークＮ上のクラウドコンピューティングシステムの端末として組み込んだ場合の電子回路の構成を示すブロック図である。
【００６５】
これによれば、電子下敷１２Ｂ（１２Ａ）にＷｅｂブラウザを組み込むことで、ネットワークＮ上の情報提供サーバ５３Ｗ…から選択的に取得される任意のコンテンツの表示データを電子ペーパ１１Ａ（１１Ｂ）に表示させることができ、またその表示データを、ネットワークＮ上の電子ペーパ管理サーバ５３により、ユーザＩＤ、ペーパＩＤ、下敷ＩＤと対応付けて登録し管理することができる。
【００６６】
電子ペーパ１１Ａ（１１Ｂ）の電子回路は、前記図３を参照して説明したように、例えばフレキシブルＩＣチップのコンピュータである低機能ＣＰＵからなる制御装置１９を中心にして、不揮発性表示装置１７（１７Ｒ，１７Ｌ）、ＩＤ記憶部２０、情報記憶装置２１、電磁誘導電源部２２、通信装置２３、入力装置２４（２４Ｒ，２４Ｌ）、重なり検出センサ２５（２５Ｒ，２５Ｌ）、キャリブレーションポインタ２６ａ〜２６ｄが接続される。
【００６７】
電子下敷１２Ｂ（１２Ａ）の電子回路は、前記図４を参照して説明したように、例えばフレキシブルＩＣチップのコンピュータである低機能ＣＰＵからなる制御装置２８を中心にして、タブレット１４Ｒ，１４Ｌ（１４）、ＩＤ記憶部２９、情報記憶装置３０、入力装置３１Ｒ，３１Ｌ（３１）、接触型表示Ｉ／Ｆ３２、外部接続装置３３、電磁誘導電源供給部３５Ｒ，３５Ｌ（３５）、通信装置３７Ｒ，３７Ｌ（３７）、電源部（バッテリ）３８が接続される。
【００６８】
前記電子ペーパ１１Ａ（１１Ｂ）…は、前記電子下敷１２Ｂ（１２Ａ）に対して、前記図１，図２で示したように、そのバインダ部１６（１３）によってタブレット１４Ｒ，１４Ｌ（１４）上に載置して綴じることで、前記図５，図６で示したような電磁誘導部を介して、電子下敷１２Ｂ（１２Ａ）の電磁誘導電源供給部３５Ｒ，３５Ｌ（３５）が電子ペーパ１１Ａ（１１Ｂ）…の電磁誘導電源部２２に電磁接続され、また電子下敷１２Ｂ（１２Ａ）の通信装置３７Ｒ，３７Ｌ（３７）が電子ペーパ１１Ａ（１１Ｂ）…の通信装置２３に電磁接続される。
【００６９】
そして、電子ペーパ１１Ａ（１１Ｂ）…のキャリブレーションポインタ２６ａ〜２６ｄから発生される電磁誘導信号が電子下敷１２Ｂ（１２Ａ）のタブレット１４Ｒ，１４Ｌ（１４）により座標検出されることで、当該タブレット１４Ｒ，１４Ｌ（１４）に対する電子ペーパ１１Ａ（１１Ｂ）…の載置位置が検出される。
【００７０】
この際、タブレット１４Ｒ，１４Ｌ（１４）により検出された電子ペーパ１１Ａ（１１Ｂ）…の載置位置が、基準の載置位置からずれている場合に、当該電子ペーパ１１Ａ（１１Ｂ）に対する電子ペン１５でのタッチ（操作）に伴いタブレット１４Ｒ，１４Ｌ（１４）により検出された座標（Ｘｔｐ，Ｙｔｐ）は、前述した座標変換式(1)(2)に従い、同電子ペーパ１１Ａ（１１Ｂ）上での実際のタッチ点Ｐに対応する座標（Ｘｐ，Ｙｐ）に変換されて補正される。
【００７１】
電子ペン１５は、当該ペンＩＤを記憶するＩＤ記憶部１５ａと、このＩＤ記憶部１５ａに記憶されたペンＩＤを読み出してコード信号を生成出力するＩＣチップの制御部１５ｂと、この制御部１５ｂにより生成出力されたペンＩＤのコード信号を電磁誘導信号に変換して出力するコイルを備えた通信装置１５ｃを有する。
【００７２】
前記電子ペーパ１１Ａ（１１Ｂ）の各回路部を制御装置１９が制御するためのプログラムデータは情報記憶装置２１に記憶され、またこの情報記憶装置２１には、当該電子ペーパ１１Ａ（１１Ｂ）の仕様である固有情報の他、入力装置２４（２４Ｒ，２４Ｌ）からのキー操作入力だけでなく、電子ペン１５からの電子下敷１２Ｂ（１２Ａ）による手書き位置検出入力、あるいは外部接続された情報提供サーバ５３Ｗ…や電子ペーパ管理サーバ５３からのテキスト・画像などの各種コンテンツの入力に応じたデータを不揮発性表示装置１７（１７Ｒ，１７Ｌ）に表示させるための表示データなども記憶される。
【００７３】
前記電子下敷１２Ｂ（１２Ａ）の各回路部を制御装置２８が制御するためのプログラムデータ（Ｗｅｂブラウザ含む）は情報記憶装置３０に記憶され、またこの情報記憶装置３０には、綴じ込みされた各電子ペーパ１１Ａ（１１Ｂ）…を管理するための管理情報（図１１参照）の他、入力装置３１Ｒ，３１Ｌ（３１）からのキー操作入力だけでなく、タブレット１４Ｒ，１４Ｌ（１４）による前記電子ペン１５からの手書き（タッチ）位置検出入力、あるいは外部接続された情報提供サーバ５３Ｗ…や電子ペーパ管理サーバ５３からのテキスト・画像などの各種コンテンツの入力に応じたデータを現在有効（アクティブ）な電子ペーパ１１Ａ（１１Ｂ）へ送信して表示させるための表示データなども一時記憶される。
【００７４】
そして、表示装置４５は、前記電子ペーパ１１Ａ（１１Ｂ）…と同様にして前記電子下敷１２Ｂ（１２Ａ）のバインダ部１６（１３）に必要に応じて綴じられ、その各々の接触型表示Ｉ／Ｆ３２，５２によって接続される。この表示装置４５においても、電子ペン１５からの電子下敷１２Ｂ（１２Ａ）による手書き（タッチ）位置検出入力、あるいは外部接続された情報提供サーバ５３Ｗ…や電子ペーパ管理サーバ５３からのテキスト・画像などの各種コンテンツの入力に応じたデータをＬＣＤ表示装置４６にて表示できる。
【００７５】
ここで、前記電子下敷１２Ａ（１２Ｂ）の外部接続装置３３に外部接続されるネットワークＮ上の情報提供サーバ５３Ｗ…や電子ペーパ管理サーバ５３は、当該外部接続装置３３との有線通信又は無線通信により接続されるＰＣや携帯電話などの通信端末装置６１を中継して接続する構成としても良いし、直接接続する構成としても良い。
【００７６】
図１１は、前記電子ペーパシステム１０Ａ，１０Ｂの電子下敷１２Ｂ（１２Ａ）の情報記憶装置３０にて記憶管理される電子ペーパ管理テーブル（下敷）５４の内容を示す図である。
【００７７】
この電子ペーパ管理テーブル（下敷）５４には、電子下敷１２Ｂ（１２Ａ）のバインダ部１６（１３）に電子ペーパ１１Ａ（１１Ｂ）…が綴じられてタブレット１４Ｒ，１４Ｌ（１４）上に載置された際に、入力装置２４Ｒ（２４Ｌ）からユーザ入力されるユーザＩＤに対応付けられて、当該電子ペーパ１１Ａ（１１Ｂ）…のそれぞれから通信受信される当該各電子ペーパ１１Ａ（１１Ｂ）…の固有情報（電子ペーパＩＤ・表裏コード・描画サイズ（画素数含む）・キャリブレーションポインタ２６ａ〜２６ｄの座標）、重なり検出センサ２５（２５Ｒ，２５Ｌ）による重なり検出情報、前記各電子ペーパ１１Ａ（１１Ｂ）…のキャリブレーションポインタ２６ａ〜２６ｄの位置がタブレット１４Ｒ，１４Ｌ（１４）により座標検出されることにより前記重なり検出情報を加えて判別されるアクティブ（有効）情報が記憶されると共に、各電子ペーパ１１Ａ（１１Ｂ）の表裏それぞれに表示されている表示情報（表示データのコンテンツＩＤ・手書きデータとその位置）も記憶される。
【００７８】
そして、電子ペーパ管理テーブル（下敷）５４に記憶される各種の情報のうち、前記重なり検出情報、アクティブ（有効）情報については、リアルタイムに更新されて記憶される。
【００７９】
よって、この電子ペーパ管理テーブル５４に従って、電子下敷１２Ｂ（１２Ａ）の右面と左面とにおける現在有効（アクティブ）な電子ペーパ１１Ａ（１１Ｂ）を認識し、当該有効（アクティブ）な電子ペーパＩＤに基づいた操作信号の入力処理、および表示データの表示処理、登録処理を実行する。この際、電子下敷１２Ｂ（１２Ａ）に対する電子ペーパ１１Ａ（１１Ｂ）の載置位置（タブレット１４Ｒ，１４Ｌ（１４）によるキャリブレーションポインタ２６ａ〜２６ｄの検出位置）が基準の位置からずれている場合は、電子ペン１５によるタッチ（操作）に応じてタブレット１４Ｒ，１４Ｌ（１４）により検出される座標位置（Ｘｔｐ，Ｙｔｐ）は、前記座標変換式(1)(2)に従い、同電子ペーパ１１Ａ（１１Ｂ）上での実際のタッチ点Ｐに対応する座標（Ｘｐ，Ｙｐ）に変換され、手書き軌跡の表示処理やタッチ（操作）位置に応じた選択処理等が実行される。
【００８０】
図１２は、前記電子ペーパシステム１０Ｂを端末としネットワーク（インターネット）Ｎ上の電子ペーパ管理サーバ５３にウェブアクセスベースで接続して使用する場合の構成例を示すブロック図である。
【００８１】
電子ペーパ管理サーバ５３は、コンピュータであるＣＰＵからなる制御装置５６を備え、この制御装置５６を中心にして入力装置５７、記憶装置５８、表示装置５９が接続され、またネットワーク（インターネット）Ｎ上の端末（電子ペーパシステム１０Ｂ）と、ＰＣや携帯電話などの通信端末装置６１を介して、あるいは直接的に通信接続するための通信装置６０が接続される。
【００８２】
前記電子ペーパ管理サーバ５３の記憶装置５８には、電子ペーパ管理プログラム等の種々の制御情報を記憶管理するための情報管理部５８ａをはじめ、各端末（電子ペーパシステム１０Ｂ…）からの要求に応じて登録または配信すべきコンテンツなどの情報をユーザＩＤ、下敷ＩＤ、ペーパＩＤに対応付けて記憶管理するための電子ペーパ管理部５８ｂが確保される。
【００８３】
図１３は、前記電子ペーパ管理サーバ５３の電子ペーパ管理部５８ｂにて記憶管理される電子ペーパ管理テーブル（サーバ）６２の内容を示す図である。
【００８４】
この電子ペーパ管理テーブル（サーバ）６２には、ログインされた端末（電子ペーパシステム１０Ｂ）からの受信に応じて、当該受信されたユーザＩＤ、電子下敷ＩＤ、電子ペーパＩＤおよびその表裏コードとアクティブ（有効）情報、表裏それぞれの表示情報（コンテンツＩＤ・コンテンツ表示データ）が対応付けられて記憶される。
【００８５】
ここで、電子ペーパ管理テーブル（サーバ）６２に記憶される各種の情報のうち、前記電子ペーパ１１Ａ（１１Ｂ）のアクティブ（有効）情報についてはリアルタイムに更新されて記憶され、表示情報（コンテンツＩＤ・コンテンツ表示データ）は、登録要求の受信に応じて新規に又は更新されて記憶される。
【００８６】
次に、前記構成の電子ペーパシステム１０Ａ，１０Ｂをクラウドコンピューティングシステムの端末として組み込んだ場合（図１０〜図１３参照）の動作について説明する。
【００８７】
図１４は、前記電子ペーパシステム１０Ａ，１０Ｂを端末として組み込んだクラウドコンピューティングシステムにおける電子下敷１２Ａ，１２Ｂでの処理（その１）を示すフローチャートである。
【００８８】
図１５は、前記電子ペーパシステム１０Ａ，１０Ｂを端末として組み込んだクラウドコンピューティングシステムにおける電子下敷１２Ａ，１２Ｂでの処理（その２）を示すフローチャートである。
【００８９】
図１６は、前記電子ペーパシステム１０Ａ，１０Ｂを端末として組み込んだクラウドコンピューティングシステムにおける電子ペーパ管理サーバ５３での処理を示すフローチャートである。
【００９０】
電子ペーパシステム（両面タイプ）１０Ｂの電子下敷（両面タイプ）１２Ｂにおいて、電子ペーパ（両面タイプ）１１Ｂが装着されたことが、バインダ部１６における電磁誘導電源供給部３５Ｒ，３５Ｌおよび通信装置３７Ｒ，３７Ｌでの接続検出に応じて制御装置２８に判断されると（ステップＳ０（Ｙｅｓ））、当該装着された電子ペーパ１１Ｂの不揮発性表示装置１７の所定の位置にユーザＩＤの登録を要求するメッセージが表示される。そして、入力装置２４のユーザ操作に応じてユーザＩＤが入力されると、情報記憶装置３０の電子ペーパ管理テーブル（下敷）５４（図１１参照）に当該入力されたユーザＩＤが登録される（ステップＳ１）。
【００９１】
ここで、電子ペーパ１１Ｂの情報記憶装置２１に何らかのコンテンツの表示データが記憶されているか否かにより不揮発性表示装置１７に表示があるか否か判断される（ステップＳ２）。
【００９２】
電子ペーパ１１Ｂの不揮発性表示装置１７にコンテンツの表示が無いと判断されると（ステップＳ２（Ｎｏ））、当該電子ペーパ１１ＢのＩＤ記憶部２０から読み出された電子ペーパＩＤが、前記電子ペーパ管理テーブル（下敷）５４に登録されたユーザＩＤに対応付けられて既に登録されているか否か判断される（ステップＳ３）。
【００９３】
そして、前記電子ペーパ管理テーブル（下敷）５４のユーザＩＤに対応付けられて、電子ペーパ１１Ｂの電子ペーパＩＤが登録されていないと判断された後（ステップＳ３（Ｎｏ））、当該電子ペーパ１１Ｂの入力装置２４のユーザ操作に応じて表示の変更が指示されると（ステップＳ４（Ｙｅｓ））、外部接続装置３３を介してネットワークＮ上の電子ペーパ管理サーバ５３から前記電子ペーパ１１Ｂに表示させるための複数のコンテンツ表示データが受信済みであるか否か判断される（ステップＳ５）。
【００９４】
ここで、前記複数のコンテンツ表示データが受信済みでないと判断されると（ステップＳ５（Ｎｏ））、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得され（ステップＳ６）、電子ペーパ１１Ｂの不揮発性表示装置１７に表示される（ステップＳ７）。
【００９５】
すると、電子ペーパ１１ＢのＩＤ記憶部２０から読み出された電子ペーパＩＤが、前記情報記憶装置３０の電子ペーパ管理テーブル（下敷）５４（図１１参照）に登録されたユーザＩＤに対応付けられて登録されているか否か判断される（ステップＳ８）。
【００９６】
そして、前記電子ペーパ管理テーブル（下敷）５４のユーザＩＤに対応付けられて、電子ペーパ１１Ｂの電子ペーパＩＤが登録されていないと判断されると（ステップＳ８（Ｎｏ））、当該電子ペーパ管理テーブル（下敷）５４のユーザＩＤに対応付けられて、電子ペーパ１１ＢのＩＤ記憶部２０から読み出された電子ペーパＩＤ、同電子ペーパ１１Ｂの不揮発性表示装置１７に表示されているコンテンツ表示データのコンテンツＩＤが記憶される（ステップＳ９）。
【００９７】
具体的には、図１１に示すように、例えばユーザＩＤ“１２３０１”、電子ペーパＩＤ“Ａ”のアクティブ（有効）な裏面“２”に対応付けられてコンテンツＩＤ“２０１”として記憶される。
【００９８】
さらに、前記電子ペーパ管理テーブル（下敷）５４に記憶されたユーザＩＤ、本電子下敷１２ＢのＩＤ記憶部２９から読み出された電子下敷ＩＤ、および電子ペーパ１１ＢのＩＤ記憶部２０から読み出された電子ペーパＩＤ、同電子ペーパ１１Ｂに表示されたコンテンツ表示データのＩＤとその表示データが、外部接続装置３３を介してネットワークＮ上の電子ペーパ管理サーバ５３へ送信され、その電子ペーパ管理テーブル（サーバ）６２（図１３参照）に登録される（ステップＳ１０）。
【００９９】
電子ペーパ管理サーバ５３において、前記電子下敷１２Ｂから送信されたユーザＩＤ、電子下敷ＩＤ、電子ペーパＩＤ、電子ペーパ１１Ｂに表示中のコンテンツＩＤとその表示データが受信されると（ステップＭ１（Ｙｅｓ））、電子ペーパ管理部５８ｂの電子ペーパ管理テーブル（サーバ）６２に、前記受信されたユーザＩＤ、電子下敷ＩＤ、電子ペーパＩＤを対応付けた管理データが既に登録されているか否か判断される（ステップＭ２）。
【０１００】
そして、電子ペーパ管理テーブル（サーバ）６２に、前記受信されたユーザＩＤ、電子下敷ＩＤ、電子ペーパＩＤを対応付けた管理データが登録されていないと判断されると（ステップＭ２（Ｎｏ））、当該受信されたユーザＩＤ、電子下敷ＩＤ、電子ペーパＩＤ、電子ペーパ１１Ｂに表示中のコンテンツＩＤとその表示データが対応付けられて新規登録される（ステップＭ３）。
【０１０１】
具体的には、図１３に示すように、例えばユーザＩＤ“１２３０１”、電子下敷ＩＤ“あ”、電子ペーパＩＤ“Ａ”のアクティブ（有効）な裏面“２”に対応付けられてコンテンツＩＤ“２０１”、コンテンツ表示データ“Ｄ２０１”として登録される。
【０１０２】
そして、前記電子下敷“あ”１２Ｂの電子ペーパ“Ａ”１１Ｂのアクティブ（有効）な裏面“２”にコンテンツＩＤ“２０１”の表示データ“Ｄ２０１”が表示されている状態で、電子ペン１５による手書きの入力がタブレット１４Ｌにより検出されると（ステップＳ１１（Ｙｅｓ））、同タブレット１４Ｌにより検出される前記電子ペーパ“Ａ”１１Ｂのキャリブレーションポインタ２６ａ〜２６ｄの座標位置（例えば、図８Ｂの２６ｄ（Ｘｔ１，Ｙｔ１），２６ａ（Ｘｔ２，Ｙｔ２））とその基準の位置（タブレット１４Ｌ上の四隅）とのずれ量に応じた前記座標変換式(1)(2)に基づいて、当該タブレット１４Ｌにより検出された手書き入力位置Ｐ…の絶対座標（Ｘｔｐ，Ｙｔｐ）…が前記電子ペーパ“Ａ”１１Ｂ上での相対座標（Ｘｐ，Ｙｐ）…に変換される（ステップＳ１１ａ）。
【０１０３】
この際、前記電子ペーパ“Ａ”１１Ｂ上での相対座標（Ｘｐ，Ｙｐ）…は、前記タブレット１４Ｌの領域サイズと当該電子ペーパ“Ａ”１１ＢのＩＤ記憶部２０に記憶されている画面（描画）サイズとの比較に応じた相対座標（Ｘｐ，Ｙｐ）…として取得されるので、前記タブレット１４Ｌの領域サイズに対して、前記電子ペーパ“Ａ”１１Ｂのサイズが同等である場合は勿論、小さい場合であってもその画面（描画）サイズに対応した相対座標（Ｘｐ，Ｙｐ）…を取得できる。
【０１０４】
すると、前記電子ペーパ“Ａ”１１Ｂの裏面“２”に表示中のコンテンツ表示データ“Ｄ２０１”上に、前記座標変換された同電子ペーパ“Ａ”１１Ｂ上での手書き入力位置Ｐ…の相対座標（Ｘｐ，Ｙｐ）…に対応して、当該手書き入力に伴う軌跡が重ねられて表示される（ステップＳ１２）。
【０１０５】
そして、この手書き入力に伴う手書きデータとそのペーパ上での位置情報は、本電子下敷“あ”１２Ｂの電子ペーパ管理テーブル（下敷）５４において、例えば、図１１に示すように、前記ユーザＩＤ“１２３０１”、電子ペーパＩＤ“Ａ”のアクティブ（有効）な裏面“２”、コンテンツＩＤ“２０１”に対応付けられた手書きデータ”ＨＤＡ２１”とその位置情報“ＰＡ２１”として記憶される（ステップＳ１３）。
【０１０６】
一方、前記電子下敷１２Ｂにおいて、電子ペーパ１１Ｂが装着されてユーザＩＤが登録された際に（ステップＳ０，Ｓ１）、当該電子ペーパ１１Ｂの不揮発性表示装置１７に既にコンテンツの表示がされていると判断された場合は（ステップＳ２（Ｙｅｓ））、前記登録されたユーザＩＤ、装着された電子ペーパ１１ＢのＩＤ記憶部２０から読み出された電子ペーパＩＤ、本電子下敷１２ＢのＩＤ記憶部２９から読み出された電子下敷ＩＤ、電子ペーパ１１Ｂの情報記憶装置２１から読み出された表示データとそのコンテンツＩＤが対応付けられてネットワークＮ上の電子ペーパ管理サーバ５３へ送信される（ステップＳ１４）。
【０１０７】
またこれと共に、電子ペーパ管理テーブル（下敷）５４において、前記登録されたユーザＩＤに対応付けられて、前記装着された電子ペーパ１１Ｂの電子ペーパＩＤ、前記表示されている表示データのコンテンツＩＤが記憶される（ステップＳ１５）。
【０１０８】
この際、電子ペーパ管理サーバ５３において、前記受信されたユーザＩＤ、電子下敷ＩＤ、電子ペーパＩＤを対応付けた管理データが電子ペーパ管理部５８ｂの電子ペーパ管理テーブル６２に登録されていないと判断された場合は（ステップＭ１，Ｍ２（Ｎｏ））、当該受信されたユーザＩＤ、電子下敷ＩＤ、電子ペーパＩＤ、電子ペーパ１１Ｂに表示中のコンテンツＩＤとその表示データが対応付けられて新規登録される（ステップＭ３）。
【０１０９】
また一方、前記受信されたユーザＩＤ、電子下敷ＩＤ、電子ペーパＩＤを対応付けた管理データが前記電子ペーパ管理テーブル６２（図１３参照）に登録されていると判断された場合は（ステップＭ２（Ｙｅｓ））、当該ユーザＩＤ、電子下敷ＩＤ、電子ペーパＩＤの組み合わせに対応付けられて登録されているコンテンツＩＤと前記受信されたコンテンツＩＤとが異なる場合にコンテンツ表示データの更新と判断され（ステップＭ７（Ｙｅｓ））、同ユーザＩＤ、電子下敷ＩＤ、電子ペーパＩＤの組み合わせに対応付けられて、登録済みのコンテンツＩＤとその表示データが、前記受信されたコンテンツＩＤとその表示データに更新されて登録される（ステップＭ８）。
【０１１０】
具体的には、図１３に示すように、例えばユーザＩＤ“１２３０１”、電子下敷ＩＤ“あ”、電子ペーパＩＤ“Ｂ”のアクティブ（有効）な表面“１”に対応付けられてコンテンツＩＤ“３０１”“３０２”“３０３”が登録されており、今回受信されたコンテンツＩＤが異なるＩＤ“３０４”である場合に、登録済みの最先のコンテンツＩＤ“３０１”とその表示データ“Ｄ３０１”が今回受信された最新のコンテンツＩＤ“３０４”とその表示データ“Ｄ３０４”に更新されて登録される。
【０１１１】
そして、前記電子下敷“あ”１２Ｂの電子ペーパ“Ｂ”１１Ｂの表面“１”にコンテンツＩＤ“３０３”の表示データ“Ｄ３０３”が表示されている状態で、電子ペン１５による手書きの入力がタブレット１４Ｒにより検出されると（ステップＳ１１（Ｙｅｓ））、同タブレット１４Ｒにより検出される前記電子ペーパ“Ｂ”１１Ｂのキャリブレーションポインタ２６ａ〜２６ｄの座標位置（例えば、図８Ｂの２６ｄ（Ｘｔ１，Ｙｔ１），２６ａ（Ｘｔ２，Ｙｔ２））とその基準の位置（タブレット１４Ｒ上の四隅）とのずれ量に応じた前記座標変換式(1)(2)に基づいて、当該タブレット１４Ｒにより検出された手書き入力位置Ｐ…の絶対座標（Ｘｔｐ，Ｙｔｐ）…が前記電子ペーパ“Ｂ”１１Ｂ上での相対座標（Ｘｐ，Ｙｐ）…に変換される（ステップＳ１１ａ）。
【０１１２】
この際、前記電子ペーパ“Ｂ”１１Ｂ上での相対座標（Ｘｐ，Ｙｐ）…は、前記タブレット１４Ｒの領域サイズと当該電子ペーパ“Ｂ”１１ＢのＩＤ記憶部２０に記憶されている画面（描画）サイズとの比較に応じた相対座標（Ｘｐ，Ｙｐ）…として取得されるので、前記タブレット１４Ｒの領域サイズに対して、前記電子ペーパ“Ｂ”１１Ｂのサイズが同等である場合は勿論、小さい場合であってもその画面（描画）サイズに対応した相対座標（Ｘｐ，Ｙｐ）…を取得できる。
【０１１３】
すると、前記電子ペーパ“Ｂ”１１Ｂの表面“１”に表示中のコンテンツ表示データ“Ｄ３０３”上に、前記座標変換された同電子ペーパ“Ｂ”１１Ｂ上での手書き入力位置Ｐ…の相対座標（Ｘｐ，Ｙｐ）…に対応して、当該手書き入力に伴う軌跡が重ねられて表示される（ステップＳ１２）。
【０１１４】
そして、この手書き入力に伴う手書きデータとそのペーパ上での位置情報は、本電子下敷“あ”１２Ｂの電子ペーパ管理テーブル（下敷）５４において、例えば、図１１に示すように、前記ユーザＩＤ“１２３０１”、電子ペーパＩＤ“Ｂ”のアクティブ（有効）な表面“１”、コンテンツＩＤ“３０３”に対応付けられた手書きデータ”ＨＤＢ１３”とその位置情報“ＰＢ１３”として記憶される（ステップＳ１３）。
【０１１５】
一方、前記電子下敷１２Ｂにおいて、電子ペーパ１１Ｂが装着されてユーザＩＤが登録された際に（ステップＳ０，Ｓ１）、当該電子ペーパ１１Ｂの不揮発性表示装置１７にコンテンツの表示がされていないと判断された場合であって（ステップＳ２（Ｎｏ））、電子ペーパ管理テーブル（下敷）５４の前記登録されたユーザＩＤに対応付けられて、電子ペーパ１１ＢのＩＤ記憶部２０から読み出された電子ペーパＩＤが登録済みであると判断された場合には（ステップＳ３（Ｙｅｓ））、当該ユーザＩＤ、電子ペーパＩＤ、ＩＤ記憶部２９から読み出された電子下敷ＩＤが外部接続装置３３を介してネットワークＮ上の電子ペーパ管理サーバ５３へ送信される（ステップＳ１６）。
【０１１６】
具体的には、例えば、図１１に示すように、電子ペーパ管理テーブル（下敷）５４に登録済みのユーザＩＤ“１２３０１”、電子ペーパＩＤ“Ｂ”、および本電子下敷１２Ｂの電子下敷ＩＤ“あ”が電子ペーパ管理サーバ５３へ送信される。
【０１１７】
電子ペーパ管理サーバ５３において、前記電子下敷１２Ｂから送信されたユーザＩＤ“１２３０１”、電子ペーパＩＤ“Ｂ”、電子下敷ＩＤ“あ”が受信された際に（ステップＭ１（Ｙｅｓ））、当該受信されたユーザＩＤ“１２３０１”、電子下敷ＩＤ“あ”、電子ペーパＩＤ“Ｂ”が、電子ペーパ管理テーブル（サーバ）６２（図１３参照）に登録済みであると判断されると（ステップＭ２（Ｙｅｓ））、前記受信データの中にコンテンツ表示データが含まれていないことで表示データの登録要求ではなく送信要求であると判断される（ステップＭ４（Ｙｅｓ））。
【０１１８】
すると、前記電子ペーパ管理テーブル（サーバ）６２において、前記電子下敷１２Ｂから受信されたユーザＩＤ“１２３０１”、電子下敷ＩＤ“あ”、電子ペーパＩＤ“Ｂ”のアクティブ（有効）な表面“１”に対応付けられて登録されている全てのコンテンツＩＤ“３０１”“３０２”“３０３”とコンテンツ表示データ“Ｄ３０１”“Ｄ３０２”“Ｄ３０３”が読み出され（ステップＭ５）、前記電子下敷“あ”１２Ｂへ送信される（ステップＭ６）。
【０１１９】
電子下敷“あ”１２Ｂにおいて、前記電子ペーパ管理サーバ５３から送信されたコンテンツＩＤ“３０１”“３０２”“３０３”とコンテンツ表示データ“Ｄ３０１”“Ｄ３０２”“Ｄ３０３”が受信されると（ステップＳ１７）、その最新のコンテンツ表示データ“Ｄ３０３”が電子ペーパ“Ｂ”１１Ｂの情報記憶装置２１に書き込まれ、アクティブ（有効）な表面“１”の不揮発性表示装置１７Ｒに表示される（ステップＳ１８）。なお、前記電子ペーパ管理サーバ５３からの受信データが、１つのコンテンツＩＤとコンテンツ表示データである場合には、その表示データが電子ペーパ１１Ｂの不揮発性表示装置１７に表示される。
【０１２０】
そして、前記ステップＳ３の処理に従い電子ペーパ管理テーブル（下敷）５４に登録済みと判断されたユーザＩＤ“１２３０１”、電子ペーパＩＤ“Ｂ”、および前記不揮発性表示装置１７Ｒに表示されたコンテンツ表示データ“Ｄ３０３”のＩＤ“３０３”に対応付けられた手書きデータ“ＨＤＢ１３”が登録されていると判断されると（ステップＳ１９（Ｙｅｓ））、当該手書きデータ“ＨＤＢ１３”がその位置情報“ＰＢ１３”に従い前記電子ペーパ“Ｂ”１１Ｂの表面“１”の不揮発性表示装置１７Ｒに表示中のコンテンツ表示データ“Ｄ３０３”上に重畳されて表示される（ステップＳ２０）。
【０１２１】
この後、電子ペーパ１１Ｂの入力装置２４のユーザ操作に応じて表示の変更が指示されると（ステップＳ４（Ｙｅｓ））、外部接続装置３３を介してネットワークＮ上の電子ペーパ管理サーバ５３から前記電子ペーパ１１Ｂに表示させるための複数のコンテンツ表示データが受信済みであるか否か判断される（ステップＳ５）。
【０１２２】
ここでは、前記ステップＳ１７において、電子ペーパ管理サーバ５３から３つのコンテンツＩＤ“３０１”“３０２”“３０３”とコンテンツ表示データ“Ｄ３０１”“Ｄ３０２”“Ｄ３０３”が受信済みであると判断され（ステップＳ５（Ｙｅｓ））、この複数のコンテンツ表示データ“Ｄ３０１”“Ｄ３０２”“Ｄ３０３”の選択項目に、外部からの取り込みを指示する選択項目を加えた表示選択メニューが前記電子ペーパ“Ｂ”１１Ｂの表面“１”の不揮発性表示装置１７Ｒにウインドウ表示される（ステップＳ２１）。
【０１２３】
そして、前記ウインドウ表示された表示選択メニューが電子ペン１５によるユーザのタッチ操作に応じて選択されると（ステップＳ２２）、タブレット１４Ｒにより検出される前記電子ペーパ“Ｂ”１１Ｂのキャリブレーションポインタ２６ａ〜２６ｄの座標位置（例えば、図８Ｂの２６ｄ（Ｘｔ１，Ｙｔ１），２６ａ（Ｘｔ２，Ｙｔ２））とその基準の位置（タブレット１４Ｒ上の四隅）とのずれ量に応じた前記座標変換式(1)(2)に基づいて、当該タブレット１４Ｒにより検出されたタッチ操作位置Ｐの絶対座標（Ｘｔｐ，Ｙｔｐ）が前記電子ペーパ“Ｂ”１１Ｂ上での相対座標（Ｘｐ，Ｙｐ）に変換される（ステップＳ２２ａ）。
【０１２４】
この際、前記電子ペーパ“Ｂ”１１Ｂ上での相対座標（Ｘｐ，Ｙｐ）は、前記タブレット１４Ｒの領域サイズと当該電子ペーパ“Ｂ”１１ＢのＩＤ記憶部２０に記憶されている画面（描画）サイズとの比較に応じた相対座標（Ｘｐ，Ｙｐ）として取得されるので、前記タブレット１４Ｒの領域サイズに対して、前記電子ペーパ“Ｂ”１１Ｂのサイズが同等である場合は勿論、小さい場合であってもその画面（描画）サイズに対応した相対座標（Ｘｐ，Ｙｐ）を取得できる。
【０１２５】
すると、前記電子ペーパ“Ｂ”１１Ｂの表面“１”に表示させた表示選択メニューの各選択項目に対する前記座標変換された同電子ペーパ“Ｂ”１１Ｂ上でのタッチ操作位置Ｐの相対座標（Ｘｐ，Ｙｐ）に応じて、先ず、外部からの取り込みを指示する選択項目が選択されたか否か判断される（ステップＳ２３）。
【０１２６】
ここで、外部からの取り込みを指示する選択項目が選択されていないと判断された場合に（ステップＳ２３（Ｎｏ））、前記受信済みである複数のコンテンツ表示データ“Ｄ３０１”“Ｄ３０２”“Ｄ３０３”の何れかの選択項目が選択された場合には（ステップＳ２４）、当該選択された例えばコンテンツ表示データ“Ｄ３０１”が、電子ペーパ“Ｂ”１１Ｂの情報記憶装置２１に書き込まれ、前記コンテンツ表示データ“Ｄ３０３”が表示されているアクティブ（有効）な表面“１”の不揮発性表示装置１７Ｒに変更されて表示される（ステップＳ２５）。
【０１２７】
そして、ユーザ登録されたユーザＩＤ“１２３０１”、電子ペーパ１１Ｂの電子ペーパＩＤ“Ｂ”、前記選択表示されたコンテンツ表示データ“Ｄ３０１”のコンテンツＩＤ“３０１”に対応付けられて、電子ペーパ管理テーブル（下敷）５４（図１１参照）に手書きデータ“ＨＤＢ１１”が登録されていると判断されると（ステップＳ２６（Ｙｅｓ））、当該手書きデータ“ＨＤＢ１１”がその位置情報“ＰＢ１１”に従い前記電子ペーパ“Ｂ”１１Ｂの表面“１”の不揮発性表示装置１７Ｒに表示中のコンテンツ表示データ“Ｄ３０１”上に重畳されて表示される（ステップＳ２７）。
【０１２８】
一方、前記ステップＳ２３において、前記ウインドウ表示された表示選択メニューから外部からの取り込みを指示する選択項目が選択されたと判断された場合は（ステップＳ２３（Ｙｅｓ））、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得され（ステップＳ６）、前記電子ペーパ“Ｂ”１１Ｂの不揮発性表示装置１７Ｒに表示される（ステップＳ７）。
【０１２９】
ここで、当該電子ペーパ１１ＢのＩＤ記憶部２０から読み出された電子ペーパＩＤ“Ｂ”が、前記電子ペーパ管理テーブル（下敷）５４（図１１参照）にユーザ登録されたユーザＩＤ“１２３０１”に対応付けられて登録されていると判断されると（ステップＳ８（Ｙｅｓ））、当該電子ペーパ管理テーブル（下敷）５４に登録済みのユーザＩＤ“１２３０１”、電子ペーパＩＤ“Ｂ”のアクティブ（有効）な表面“１”に対応付けられて、登録済みの最先のコンテンツＩＤ“３０１”が、前記ステップＳ６，Ｓ７にて新たに表示されたコンテンツ表示データのコンテンツＩＤ（例えば“３０４”）に更新されて記憶される（ステップＳ２８）。この際、更新されたコンテンツＩＤ“３０４”に対応するところの手書きデータ“ＨＤＢ１１”およびその位置情報“ＰＢ１１”は消去される。
【０１３０】
そして、前記ユーザＩＤ“１２３０１”、本電子下敷１２ＢのＩＤ記憶部２９から読み出された電子下敷ＩＤ“あ”、および電子ペーパ１１ＢのＩＤ記憶部２０から読み出された電子ペーパＩＤ“Ｂ”、同電子ペーパ１１Ｂに表示中のコンテンツＩＤ“３０４”とその表示データ（例えば“Ｄ３０４”）が、外部接続装置３３を介してネットワークＮ上の電子ペーパ管理サーバ５３へ送信され、その電子ペーパ管理テーブル（サーバ）６２に登録される（ステップＳ１０）。
【０１３１】
電子ペーパ管理サーバ５３において、前記電子下敷１２Ｂから受信されたユーザＩＤ“１２３０１”、電子下敷ＩＤ“あ”、電子ペーパＩＤ“Ｂ”を対応付けた管理データが電子ペーパ管理テーブル（サーバ）６２（図１３参照）に登録されていると判断されると（ステップＭ１，Ｍ２（Ｙｅｓ））、当該ユーザＩＤ“１２３０１”、電子下敷ＩＤ“あ”、電子ペーパＩＤ“Ｂ”のアクティブ（有効）な表面“１”の組み合わせに対応付けられて登録されているコンテンツＩＤ“３０１”“３０２”“３０３”と前記受信されたコンテンツＩＤ“３０４”とが異なることでコンテンツ表示データの更新と判断される（ステップＭ７（Ｙｅｓ））。
【０１３２】
すると、同電子ペーパ管理テーブル（サーバ）６２において、同ユーザＩＤ“１２３０１”、電子下敷ＩＤ“あ”、電子ペーパＩＤ“Ｂ”のアクティブ（有効）な表面“１”の組み合わせに対応付けられて、登録済みの最先のコンテンツＩＤ”３０１”とその表示データ“Ｄ３０１”が、前記受信されたコンテンツＩＤ“３０４”とその表示データ“Ｄ３０４”に更新されて登録される（ステップＭ８）。
【０１３３】
したがって、前記構成の電子ペーパシステム１０Ａ（１０Ｂ）によれば、電子ペーパ１１Ａ（１１Ｂ）に対する電子ペン１５でのタッチ操作の位置Ｐが電子下敷１２Ａ（１２Ｂ）のタブレット１４により検出されると、当該タブレット１４により検出される前記電子ペーパ１１Ａのキャリブレーションポインタ２６ａ〜２６ｄの少なくとも２つの座標位置とその基準の位置（タブレット１４上の四隅）とのずれ量に応じて、前記タブレット１４により検出されたタッチ操作位置Ｐの絶対座標（Ｘｔｐ，Ｙｔｐ）を前記電子ペーパ１１Ａ上での相対座標（Ｘｐ，Ｙｐ）に変換するための前記座標変換式(1)(2)に基づいて、同電子ペーパ１１Ａ上でのタッチ操作位置Ｐの座標（Ｘｐ，Ｙｐ）を取得する。そして、この取得された前記電子ペーパ１１Ａに対するタッチ操作位置Ｐの座標（Ｘｐ，Ｙｐ）に対応して、手書き入力に伴う軌跡が表示されたり、同電子ペーパ１１Ａに表示された表示データが選択されたりする。
【０１３４】
このため、前記電子下敷１２Ａ（１２Ｂ）に対する前記電子ペーパ１１Ａ（１１Ｂ）の載置位置がその基準の位置からずれていたとしても、当該電子ペーパ１１Ａ（１１Ｂ）に対するタッチ操作に伴うタブレット１４での検出位置を、同電子ペーパ１１Ａ（１１Ｂ）上でのユーザの実際のタッチ位置として取得することでき、電子ペーパ１１Ａ（１１Ｂ）のタブレット１４に対する位置的自由度を大幅に改善することが可能になる。
【０１３５】
また、前記構成の電子ペーパシステム１０Ａ（１０Ｂ）によれば、前記電子ペーパ１１Ａ（１１Ｂ）上での相対座標（Ｘｐ，Ｙｐ）は、前記タブレット１４の領域サイズと当該電子ペーパ１１Ａ（１１Ｂ）のＩＤ記憶部２０に記憶されている画面（描画）サイズとの比較に応じた相対座標（Ｘｐ，Ｙｐ）として取得される。
【０１３６】
このため、前記タブレット１４の領域サイズに対して、前記電子ペーパ１１Ａ（１１Ｂ）のサイズが同等である場合は勿論、小さい場合であってもその画面（描画）サイズに対応したユーザの実際のタッチ位置の相対座標（Ｘｐ，Ｙｐ）として取得できる。
【０１３７】
（他の実施形態（１））
前記実施形態の電子ペーパシステム１０Ａ（１０Ｂ）では、当該システム専用の電子下敷１２Ａ（１２Ｂ）に対して、電子ペーパ１１Ａ（１１Ｂ）を載置して使用する構成とした。
【０１３８】
これに対し、前記電子下敷１２Ａ（１２Ｂ）を、次の図１７に示すように、電子下敷機能付きデスクマット１２Ｍとして構成したり、あるいは図１８に示すように、電子下敷機能付きデスク１２Ｄとして構成したりしてもよい。
【０１３９】
図１７は、前記電子ペーパシステム１０Ａ（１０Ｂ）の他の実施形態（１）に係る電子下敷機能付きデスクマット１２Ｍの利用形態を示す図である。
【０１４０】
図１８は、前記電子ペーパシステム１０Ａ（１０Ｂ）の他の実施形態（１）に係る電子下敷機能付きデスク１２Ｄの利用形態を示す図である。
【０１４１】
この場合にも、前記実施形態と同様に、前記デスクマット１２Ｍあるいはデスク１２Ｄに内蔵されたタブレット１４により検出される前記電子ペーパ１１Ａのキャリブレーションポインタ２６ａ〜２６ｄの少なくとも２つの座標位置とその基準の位置とのずれ量に応じて、前記タブレット１４により検出されたタッチ操作位置Ｐの絶対座標（Ｘｔｐ，Ｙｔｐ）を前記電子ペーパ１１Ａ上での相対座標（Ｘｐ，Ｙｐ）に変換するための座標変換式に基づいて、前記タブレット１４の領域サイズと当該電子ペーパ１１Ａの画面（描画）サイズとの比較に応じたタッチ操作位置Ｐの座標（Ｘｐ，Ｙｐ）を取得できる。
【０１４２】
（他の実施形態（２））
前記各実施形態では、電子下敷１２Ａ（１２Ｂ）（１２Ｍ）（１２Ｄ）に内蔵されたタブレット１４の領域サイズに対して、電子ペーパ１１Ａ（１１Ｂ）の画面（描画）サイズが同等か小さい場合について説明した。
【０１４３】
これに対し、次の図１９を参照して説明するように、電子下敷のタブレット１４の領域サイズに対して、電子ペーパ１１Ａの画面（描画）サイズが大きい場合であっても、タブレット１４により検出される電子ペーパ１１Ａの少なくとも２つのキャリブレーションポインタ２６ａ〜２６ｉを特定できるように構成したり（図１９（Ａ））、縦横一定間隔Ｃでマトリクスに配置したキャリブレーションポインタ２６ａ〜２６ｉに、その相互に隣接する４つのポインタによって囲まれる枡の位置を識別するための識別ポインタ２６Ａ，２６Ｂ，２６ｃ，２６ｄを追加して構成したり（図１９（Ｂ））することで、当該電子ペーパ１１Ａの画面（描画）サイズから前記タブレット１４によって検出可能な同電子ペーパ１１Ａの領域を認識する。そして、前記タブレット１４により検出されたタッチ操作位置Ｐの絶対座標（Ｘｔｐ，Ｙｔｐ）から前記電子ペーパ１１Ａ上での相対座標（Ｘｐ，Ｙｐ）を取得できるようにしてもよい。
【０１４４】
図１９は、前記電子ペーパシステム１０Ａ（１０Ｂ）の他の実施形態（２）に係る電子ペーパ１１Ａのキャリブレーションポインタ２６ａ〜２６ｉの配列構成を示す図である。
【０１４５】
すなわち、具体例（１）では、図１９（Ａ）に示すように、例えばＡ４サイズ（長辺２９ｃｍ）のタブレット１４を有する電子下敷においてＡ３横サイズ（長辺４２ｃｍ）の電子ペーパ１１Ａを使用する場合、当該電子ペーパ１１Ａには、９個のキャリブレーションポインタ２６ａ〜２６ｉを３個ずつ３列に配置し、左から１列目のポインタ間隔２６ａ−２６ｂ（１４ｃｍ），２６ｂ−２６ｃ（９ｃｍ）、２列目のポインタ間隔２６ｄ−２６ｅ（１３ｃｍ），２６ｅ−２６ｆ（１０ｃｍ）、３列目のポインタ間隔２６ｇ−２６ｈ（１２ｃｍ），２６ｈ−２６ｉ（１１ｃｍ）とし、それぞれ何れもＡ４長辺の１／２以下となる６通りの間隔に設定する。なお各列間の横方向のポインタ間隔は１４ｃｍ一定に設定する。
【０１４６】
前記キャリブレーションポインタ２６ａ〜２６ｉの電子ペーパ１１Ａ上での各座標と間隔は、当該電子ペーパ１１ＡのＩＤ記憶部２０に、同ペーパ固有のＩＤ、画面（描画）サイズ（Ａ３）と共に記憶され、電子下敷に検知された際に同電子下敷によって読み出される。
【０１４７】
従って、電子下敷のタブレット１４により、前記電子ペーパ１１Ａの縦方向の少なくとも２個のキャリブレーションポインタ２６ａ〜２６ｉを検知して特定することで、当該タブレット１４の領域に対応したところの同電子ペーパ１１Ａの領域を認識できる。よって、前記タブレット１４により検出されたタッチ操作位置Ｐの絶対座標（Ｘｔｐ，Ｙｔｐ）から前記電子ペーパ１１Ａ上での相対座標（Ｘｐ，Ｙｐ）を取得できる。
【０１４８】
また、具体例（２）では、図１９（Ｂ）に示すように、前記同様に、例えばＡ４サイズ（長辺２９ｃｍ）のタブレット１４を有する電子下敷においてＡ３横サイズ（長辺４２ｃｍ）の電子ペーパ１１Ａを使用する場合に、当該電子ペーパ１１Ａには、Ａ４長辺の１／２以下となる縦横一定間隔Ｃ（１４ｃｍ）で９個のキャリブレーションポインタ２６ａ〜２６ｉを３×３のマトリクスに配置し、相互に隣接する４個のポインタによって囲まれる上下左右４つの枡内のそれぞれ固有の位置（左上の枡は左上、右上の枡は右上、左下の枡は左下、右下の枡は右下）に、当該枡を識別するための識別用キャリブレーションポインタ２６Ａ，２６Ｂ，２６Ｃ，２６Ｄを追加する。
【０１４９】
前記キャリブレーションポインタ２６ａ〜２６ｉ及び２６Ａ〜２６Ｄの電子ペーパ１１Ａ上での各座標は、当該電子ペーパ１１ＡのＩＤ記憶部２０に、同ペーパ固有のＩＤ、画面（描画）サイズ（Ａ３）と共に記憶され、電子下敷に検知された際に同電子下敷によって読み出される。
【０１５０】
従って、電子下敷のタブレット１４により、前記電子ペーパ１１Ａの少なくとも上下左右に隣接する４個のキャリブレーションポインタ２６ａ〜２６ｉとその中の識別用ポインタ２６Ａ〜２６Ｄを検知して特定することで、当該タブレット１４の領域に対応したところの同電子ペーパ１１Ａの領域を認識できる。よって、前記タブレット１４により検出されたタッチ操作位置Ｐの絶対座標（Ｘｔｐ，Ｙｔｐ）から前記電子ペーパ１１Ａ上での相対座標（Ｘｐ，Ｙｐ）を取得できる。
【０１５１】
なお、前記図１７、図１８を参照して説明した他の実施形態（１）に係る電子ペーパシステム、前記図１９を参照して説明した他の実施形態（２）に係る電子ペーパシステムの何れにあっても、電子下敷から電子ペーパ１１Ａ（１１Ｂ）への給電手段、電子下敷と電子ペーパ１１Ａ（１１Ｂ）との間の通信手段は、前記実施形態と同様に電磁誘導式で構成してもよいし、磁気共鳴式で構成してもよい。
【０１５２】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１５３】
以下に、本願出願の当初の特許請求の範囲に記載された発明を付記する。
【０１５４】
［１］
電子ペンによる操作位置を非接触で検出するタブレットを有した電子装置と、この電子装置との非接触の通信により表示データを表示する画面を有した電子ペーパと、からなる電子ペーパシステムであって、
前記電子ペーパは、
予め設定された複数の位置に設けられ前記タブレットにその位置が検出される位置指示部を備え、
前記電子装置は、
前記電子ペンによる操作位置が前記タブレットに検出された際に、当該検出された操作位置の同タブレット上での座標を、同タブレットに検出される前記電子ペーパの少なくとも２つの位置指示部の位置の基準の位置からのずれ量に応じた座標変換式に従い、前記電子ペーパの画面上の相対座標に変換する座標変換手段と、
この座標変換手段により変換された前記電子ペーパの画面上の相対座標の位置に応じた処理を実行する処理実行手段とを備えた、
ことを特徴とする電子ペーパシステム。
【０１５５】
［２］
前記座標変換手段は、
前記電子ペンによる操作位置が前記タブレットに検出された際に、前記電子ペーパの画面サイズと前記タブレットの領域サイズとを比較するサイズ比較手段を有し、
前記タブレットに検出された操作位置の同タブレット上での座標を、同タブレットに検出される前記電子ペーパの少なくとも２つの位置指示部の位置間の基準の位置からの傾きに応じた座標変換式と前記サイズ比較手段による比較結果に従い、前記電子ペーパの画面上の相対座標に変換する、
ことを特徴とする［１］に記載の電子ペーパシステム。
【０１５６】
［３］
前記電子ペーパの画面サイズは、前記タブレットの領域サイズと同等であることを特徴とする［１］に記載の電子ペーパシステム。
【０１５７】
［４］
前記電子ペーパの画面サイズは、前記タブレットの領域サイズと同等又は小さいことを特徴とする［２］に記載の電子ペーパシステム。
【０１５８】
［５］
前記電子ペーパの画面サイズが前記タブレットの領域サイズよりも大きい場合であって、
前記電子ペーパの位置指示部は、
当該電子ペーパの画面全体に渡る複数の位置にそれぞれ前記タブレットの長辺以下の間隔で且つ固有の配列によってその位置が特定可能に設けられ、
前記電子ペーパは、その画面サイズと前記位置指示部の座標を含む配列情報を記憶する情報記憶手段を備え、
前記電子装置の座標変換手段は、
前記電子ペンによる操作位置が前記タブレットに検出された際に、前記電子ペーパの情報記憶手段に記憶された当該電子ペーパの画面サイズと前記位置指示部の配列情報を読み出す情報読み出し手段を有し、
前記電子ペーパの画面サイズが前記タブレットの領域サイズよりも大きい場合は、前記情報読み出し手段により読み出された前記電子ペーパの画面サイズと前記位置指示部の配列情報に基づいて、前記タブレットの領域に対応するところの前記電子ペーパの画面領域を認識し、前記タブレットに検出された操作位置の同タブレット上での座標を、前記電子ペーパの画面上の相対座標に変換する、
ことを特徴とする［１］ないし［４］の何れかに記載の電子ペーパシステム。
【０１５９】
［６］
前記［１］に記載の電子ペーパシステムにおける電子装置。
【０１６０】
［７］
前記［１］に記載の電子ペーパシステムにおける電子装置のコンピュータを制御するためのプログラムであって、
前記コンピュータを、
前記電子ペンによる操作位置が前記タブレットに検出された際に、当該検出された操作位置の同タブレット上での座標を、同タブレットに検出される前記電子ペーパの少なくとも２つの位置指示部の位置の基準の位置からのずれ量に応じた座標変換式に従い、前記電子ペーパの画面上の相対座標に変換する座標変換手段、
この座標変換手段により変換された前記電子ペーパの画面上の相対座標の位置に応じた処理を実行する処理実行手段、
として機能させるためのコンピュータ読み込み可能なプログラム。
【符号の説明】
【０１６１】
１０Ａ…電子ペーパシステム（片面タイプ）
１０Ｂ…電子ペーパシステム（両面タイプ）
１１Ａ…電子ペーパ（片面タイプ）
１１Ｂ…電子ペーパ（両面タイプ）
１２Ａ…電子下敷（片面タイプ）
１２Ｂ…電子下敷（見開きタイプ）
１４（１４Ｒ，１４Ｌ）…電子下敷のタブレット
１５…電子ペン
１７（１７Ｒ，１７Ｌ）…不揮発性表示装置
２０…電子ペーパのＩＤ記憶部
２６ａ〜２６ｉ…電子ペーパの位置検出用キャリブレーションポインタ
２６Ａ〜２６Ｄ…電子ペーパの領域識別用キャリブレーションポインタ
【図１】
2015118606.tif 000003
【図２】
2015118606.tif 000004
【図３】
2015118606.tif 000005
【図４】
2015118606.tif 000006
【図５】
2015118606.tif 000007
【図６】
2015118606.tif 000008
【図７】
2015118606.tif 000009
【図８Ａ】
2015118606.tif 000010
【図８Ｂ】
2015118606.tif 000011
【図９】
2015118606.tif 000012
【図１０】
2015118606.tif 000013
【図１１】
2015118606.tif 000014
【図１２】
2015118606.tif 000015
【図１３】
2015118606.tif 000016
【図１４】
2015118606.tif 000017
【図１５】
2015118606.tif 000018
【図１６】
2015118606.tif 000019
【図１７】
2015118606.tif 000020
【図１８】
2015118606.tif 000021
【図１９】
2015118606.tif 000022